(57)【特許請求の範囲】
【請求項１】
非妊時から測定時までの体重増加量に基づいて非妊時から測定時までの体脂肪変化量及び体水分変化量を演算する演算手段と、演算された体脂肪変化量と体水分変化量とに基づいて妊婦の健康状況を判定する判定手段とを備えたことを特徴とする妊婦用健康管理装置。
【請求項２】
前記演算手段は、非妊時から測定時までの体重増加量に第一の所定比率を乗じることによって得られた値を非妊時から測定時までの体脂肪変化量とし、非妊時から測定時までの体重増加量に第二の所定比率を乗じることによって得られた値を非妊時から測定時までの体水分変化量とすることを特徴とする請求項１記載の妊婦用健康管理装置。
【請求項３】
前記第一の所定比率が約５８％であることを特徴とする請求項２記載の妊婦用健康管理装置。
【請求項４】
前記第二の所定比率が約２９％であることを特徴とする請求項２記載の妊婦用健康管理装置。
【請求項５】
前記第一の所定比率が約５８％であり、前記第二の所定比率が約２９％であることを特徴とする請求項２記載の妊婦用健康管理装置。
【請求項６】
前記判定手段は、浮腫の発症を判定することを特徴とする請求項１乃至請求項５記載の妊婦用健康管理装置。
【請求項７】
前記判定手段は、妊娠中毒症の発症を判定することを特徴とする請求項１乃至請求項５記載の妊婦用健康管理装置。
【請求項８】
少なくとも現在の体重と非妊時の体重とを妊婦の個人データとして入力する入力手段を更に備え、前記演算手段は、現在の体重から非妊時の体重を減じることによって得られた値を非妊時から測定時までの体重増加量とすることを特徴とする請求項１乃至請求項５記載の妊婦用健康管理装置。
【請求項９】
妊婦の生体電気インピーダンスを測定するインピーダンス測定手段を更に備え、前記演算手段は、少なくとも前記入力手段で入力された現在の体重と前記インピーダンス測定手段で測定された生体電気インピーダンスとを用いて生体電気インピーダンス法に基づき現在の体脂肪量と体水分量とを演算すると共に、これら現在の体脂肪量と体水分量とから前記体脂肪変化量と体水分変化量とを夫々減じることにより非妊時の体脂肪量と体水分量とを演算することを特徴とする請求項８記載の妊婦用健康管理装置。
【請求項１０】
前記演算手段で演算された体脂肪変化量と体水分変化量とを記憶するメモリを更に備え、前記判定手段は、前記メモリに記憶された体脂肪変化量と体水分変化量との夫々の変化の推移から判定することを特徴とする請求項１乃至請求項５記載の妊婦用健康管理装置。
【請求項１１】
前記判定手段は、妊婦への健康に関するアドバイスを表示することを特徴とする請求項１乃至請求項５記載の妊婦用健康管理装置。 
【発明の詳細な説明】
【技術分野】
【０００１】
本発明は、妊婦の健康を管理する装置、特に妊婦の浮腫や妊娠中毒症に関する健康管理をする装置に関する。
【背景技術】
【０００２】
従来妊婦の浮腫の発症に関しては、脛骨稜を親指で押し、圧痕が残るかどうかで判断されてきた。また、妊娠中毒症での浮腫に関しては、一般的に下肢に浮腫が見られ、かつ最近の一週間で５００グラムの体重増加が見られた場合に、軽度の妊娠中毒症と判断され、浮腫が全身に及ぶと重度の妊娠中毒症と判断されていた。
【発明の開示】
【発明が解決しようとする課題】
【０００３】
しかし、浮腫の判断は診察した医師の主観に左右されやすく、定量的な判断ができなかった。
【０００４】
また、体重の増加もその日の食事量、排泄量、発汗量等によってばらつきが大きく、５００グラム程度はすぐ変化することが知られている。
【課題を解決するための手段】
【０００５】
本発明の１つの観点によれば、非妊時から測定時までの体重増加量に基づいて非妊時から測定時までの体脂肪変化量及び体水分変化量を演算する演算手段と、演算された体脂肪変化量と体水分変化量とに基づいて妊婦の健康状況を判定する判定手段とを備えた妊婦用健康管理装置が提供される。
【０００６】
本発明の一つの実施の形態によれば、この妊婦用健康管理装置は、前記演算手段が、非妊時から測定時までの体重増加量に第一の所定比率を乗じることによって得られた値を非妊時から測定時までの体脂肪変化量とし、非妊時から測定時までの体重増加量に第二の所定比率を乗じることによって得られた値を非妊時から測定時までの体水分変化量とすることを特徴とする。ここで、前記第一の所定比率は約５８％であり、及び／又は前記第二の所定比率は約２９％であることが好ましい。
【０００７】
本発明の一つの実施の形態によれば、前記判定手段は、浮腫の発症を判定し、又は妊娠中毒症の発症を判定することを特徴とする。
【０００８】
本発明の一つの実施の形態によれば、この妊婦用健康管理装置は、少なくとも現在の体重と非妊時の体重とを妊婦の個人データとして入力する入力手段を更に備え、前記演算手段が、現在の体重から非妊時の体重を減じることによって得られた値を非妊時から測定時までの体重増加量とすることを特徴とする。ここで、妊婦の生体電気インピーダンスを測定するインピーダンス測定手段を更に備え、前記演算手段が、少なくとも前記入力手段で入力された現在の体重と前記インピーダンス測定手段で測定された生体電気インピーダンスとを用いて生体電気インピーダンス法に基づき現在の体脂肪量と体水分量とを演算すると共に、これら現在の体脂肪量と体水分量とから前記体脂肪変化量と体水分変化量とを夫々減じることにより非妊時の体脂肪量と体水分量とを演算することが好ましい。
【０００９】
本発明の一つの実施の形態によれば、この妊婦用健康管理装置は、前記演算手段で演算された体脂肪変化量と体水分変化量とを記憶するメモリを更に備え、前記判定手段は、前記メモリに記憶された体脂肪変化量と体水分変化量との夫々の変化の推移から判定することを特徴とする。
【００１０】
本発明の一つの実施の形態によれば、この妊婦用健康管理装置は、前記判定手段は、妊婦への健康に関するアドバイスを表示することを特徴とする。
【発明の効果】
【００１１】
本発明は、非妊時から測定時までの体重増加量に基づいて、例えば非妊時から測定時までの体重増加量に第一及び第二の所定比率（好ましくは約５８％及び約２９％）を乗じることによって、非妊時から測定時までの体脂肪変化量及び体水分変化量を演算する演算手段と、演算された体脂肪変化量と体水分変化量とに基づいて妊婦の健康状況を判定する判定手段とを備えた妊婦用健康管理装置であり、客観的、定量的に浮腫や妊娠中毒症等の妊婦の健康管理ができる。
【００１２】
また、本発明の妊婦用健康管理装置は、少なくとも現在の体重と非妊時の体重とを妊婦の個人データとして入力する入力手段を更に備え、前記演算手段が、現在の体重から非妊時の体重を減じることによって得られた値を非妊時から測定時までの体重増加量とすることを特徴とするものであり、妊婦は、非妊時の体重を記憶しているだけで、簡単に利用することができる。更に、本発明の妊婦用健康管理装置を、妊婦の生体電気インピーダンスを測定するインピーダンス測定手段を更に備え、前記演算手段が、少なくとも前記入力手段で入力された現在の体重と前記インピーダンス測定手段で測定された生体電気インピーダンスとを用いて生体電気インピーダンス法に基づき現在の体脂肪量と体水分量とを演算すると共に、これら現在の体脂肪量と体水分量とから前記体脂肪変化量と体水分変化量とを夫々減じることにより非妊時の体脂肪量と体水分量とを演算するものとした場合には、これらのデータを妊婦が記憶していないか、または非妊時に測定していなくとも求めることができ、妊婦の健康管理ができる。
【００１３】
さらに、本発明の妊婦用健康管理装置は、前記演算手段で演算された体脂肪変化量と体水分変化量とを記憶するメモリを更に備え、前記判定手段が、前記メモリに記憶された体脂肪変化量と体水分変化量との夫々の変化の推移から判定することを特徴とするものであり、浮腫や妊娠中毒症になる前に変化の推移から予測が可能である。
【００１４】
さらに、本発明の妊婦用健康管理装置は、妊婦への健康に関するアドバイスを表示することを特徴とするものであり、妊婦にとって使い勝手の良いものである。
【発明を実施するための最良の形態】
【００１５】
本発明の妊婦用健康管理装置は、非妊時から測定時までの体重増加量に基づいて、例えば非妊時から測定時までの体重増加量に第一及び第二の所定比率（好ましくは約５８％及び約２９％）を乗じることによって、非妊時から測定時までの体脂肪変化量及び体水分変化量を演算する演算手段と、演算された体脂肪変化量と体水分変化量とに基づいて妊婦の健康状況を判定する判定手段とを備える。
【００１６】
この判定手段は、浮腫の発症を判定する。
【００１７】
この判定手段は、妊娠中毒症の発症を判定する。
【００１８】
また、少なくとも現在の体重と非妊時の体重とを妊婦の個人データとして入力する入力手段を更に備え、前記演算手段が、現在の体重から非妊時の体重を減じることによって得られた値を非妊時から測定時までの体重増加量とすることを特徴とする。ここで、妊婦の生体電気インピーダンスを測定するインピーダンス測定手段を更に備え、前記演算手段が、少なくとも前記入力手段で入力された現在の体重と前記インピーダンス測定手段で測定された生体電気インピーダンスとを用いて生体電気インピーダンス法に基づき現在の体脂肪量と体水分量とを演算すると共に、これら現在の体脂肪量と体水分量とから前記体脂肪変化量と体水分変化量とを夫々減じることにより非妊時の体脂肪量と体水分量とを演算する。
【００１９】
また、前記演算手段で演算された体脂肪変化量と体水分変化量とを記憶するメモリを更に備え、前記判定手段が、前記メモリに記憶された体脂肪変化量と体水分変化量との夫々の変化の推移から判定する。
【００２０】
また、前記判定手段は、妊婦への健康に関するアドバイスを表示する。
【実施例１】
【００２１】
本発明の実施例について図面を用いて説明する。図１は、本発明に関する妊婦用健康管理装置１の外観斜視図であり、大きくは測定部２と表示印刷部３とからなり、測定部２の図示しない台板と表示印刷部３に固定される支柱部４とからなる。この測定部２は、公知の体脂肪計と同様の構成で、内部に体重測定センサーを備え、測定部２の上面に被測定者が乗ることで体重が測定できる構成になっている。また、測定部２の上面には、両足間の生体電気インピーダンスを測定すべく電流供給電極５Ａ、６Ａと、電圧測定電極５Ｂ、６Ｂを備えている。
【００２２】
一方、表示印刷部３は、図２で示す操作部７、入力したデータや結果表示のための表示部８、測定結果を印刷する印刷部９とからなる。
【００２３】
図２の操作部７は、電源スイッチ１０、非測定者の着衣の重量を設定する風袋量設定キー１１、日時を設定するためのキー１２、性別・体型を設定するキー群１３、データ等を設定するためのテンキー１４を備えている。
【００２４】
図３は、妊婦用健康管理装置１の電気ブロック図を示すもので、マイクロコンピュータを備えた制御部１５を備え、この制御部１５に図２の操作部７の各スイッチ、キーが接続され、表示部８、印刷部９も接続される。また、測定部２からは、定電流発生回路１６を介して電流供給電極５Ａ、６Ａが、電圧測定回路１７を介して電圧測定電極５Ｂ、６Ｂが、体重測定センサーがそれぞれ制御部１５に接続している。さらに、制御部１５には、データを記憶するためのメモリ１８が接続されるほか、妊娠週数等の日時データを発生させる時計回路１９も接続される。なお、電源２０は、各部に電力を供給するものである。
【００２５】
次に本発明の妊婦用健康管理装置１の動作を図４のフローチャートを用いて説明する。最初に電源スイッチ１０をオンすると、ステップＳ１で制御部１５は、マイクロコンピュータやメモリ１８等を初期化する。この時、過去の測定及び設定データ、例えば非妊時（妊娠前）の時の入力データ、測定データ、演算結果データ等はそのまま記憶しておく。次にステップＳ２で日時設定がされているかどうかを判断し、設定されていればステップＳ４に進む。日時が設定されていなければ、ステップＳ３で日時をセットする。この日時設定は、一般の装置で用いられているものと同じであるため、詳細な説明を省略する。
【００２６】
ステップＳ４では、表示部８に「着衣重量、即ち風袋量をテンキー１４から入力し、入力が完了したら風袋量設定キー１１を押して下さい」と表示をする。ここで被測定者がテンキー１４から１.０ｋｇを入力し、風袋量設定キー１１をオンすると、ステップＳ５でＹｅｓと判断され、ステップＳ６に進み、メモリ１８に風袋量を記憶する。ステップＳ５で風袋量設定キー１１がオンされなければ、ステップＳ４に戻り、風袋量の入力を促す表示を繰り返す。
【００２７】
次にステップＳ７では、性別・体型別を設定するキー群１３で被測定者にあったキーをオンするように表示部８に表示する。ここで被測定者が、例えば男性のスタンダードである場合、図２の男性マークの枠内でスタンダードのキーをオンする。すると、ステップＳ８で入力を判断し、ステップＳ９に進み、オンしたキーのデータをメモリ１８に記憶する。ステップＳ８では、キーがオンされるまで、ステップＳ７に戻り、キーのオンを促しつづける。同様にステップＳ１０からステップＳ１２では被測定者の年齢を、ステップＳ１３からステップＳ１５では被測定者の身長を入力し、メモリ１８に記憶する処理を行う。
【００２８】
そしてステップＳ１６では、ステップＳ８でオンしたキーが何であるかを判断し、この場合には男性のスタンダードであるので、Ｎｏと判断され、ステップＳ１７に進む。ステップＳ１７では、非測定者が電流供給電極５Ａ、６Ａにつま先を、電圧測定電極５Ｂ、６Ｂに踵を接して測定部２に乗ったことを確認して測定を開始する。体重の測定は、体重センサーからの出力を制御部１５に取り込み、ステップＳ１８で演算する。一方、インピーダンスは、定電流回路１６から電極５Ａ、６Ａ間に一定電流を流し、電極５Ｂ、６Ｂ間の電圧を電圧測定回路１７で測定し、電流と電圧の関係からインピーダンスをステップＳ１８で演算する。ステップＳ１８では、測定した体重から風袋量を減算し、被測定者の体重を演算すると共に、インピーダンスから体脂肪率を、体重に体脂肪率を乗算して体脂肪量を、体重から体脂肪量を減算して除脂肪量を、除脂肪量に平均的体水分率である７３.２％を乗算して体水分量を、身長と体重からＢＭＩ（体格指数）をそれぞれ演算する。そしてこの演算結果は、ステップＳ１９で表示部８に表示すると共に、印刷部９よりプリントアウトする。
【００２９】
図５は、このプリントアウトの例であり、測定時間のほか入力した性別・体型、年齢、身長、等の個人データ、ステップＳ１７及びステップＳ１８で測定・演算した結果を印刷する。
【００３０】
この表示及び印刷の後、ステップＳ４に戻り次のデータ入力を待つ。
【００３１】
上記ステップＳ８でマタニティキーがオンされた場合には、ステップＳ１６でＹｅｓと判断され、ステップＳ２０に進む。ステップＳ２０では、表示部８に出産予定日を入力してくださいと表示し、ステップＳ２１でテンキーよりの年月日の入力がなされるまで、ステップＳ２０とＳ２１を繰り返す。予定年月日が入力されると、ステップＳ２１でＹｅｓと判断され、ステップＳ２２で入力された出産予定日と測定日のデータとから妊娠週数を演算し、ステップＳ２３に進む。ステップＳ２３では、妊娠前（非妊時）の体重を入力してくださいと表示し、ステップＳ２４に進む。
【００３２】
ステップＳ２４ではテンキーより非妊時の体重の入力がなされるまで、ステップＳ２３とＳ２４を繰り返す。体重値を入力するとステップＳ２４でＹｅｓと判断され、ステップＳ２５に進む。ステップＳ２５では、妊娠前（非妊時）の体脂肪量を入力してくださいと表示し、テンキーより入力されるとステップＳ２６でＹｅｓと判断され、ステップＳ２７に進む。この時、一定時間以内に非妊時の体脂肪量が入力されないとステップＳ２６でＮｏと判断され、ステップＳ２８でメモリ１８内の非妊時体脂肪量フラグに１を立ててステップＳ２７に進む。
【００３３】
ステップＳ２７では、妊娠前（非妊時）の体水分量を入力してくださいと表示し、テンキーより入力されるとステップＳ２９でＹｅｓと判断され、ステップＳ３０に進む。この時、一定時間以内に非妊時の体水分量が入力されないとステップＳ２９でＮｏと判断され、ステップＳ３１でメモリ１８内の非妊時体水分量フラグに１を立ててステップＳ３０に進む。ステップＳ３０では妊婦の浮腫や妊娠中毒症に関係するデータを入力してくださいと表示し、テンキーよりデータが入力されるとステップＳ３２でＹｅｓと判断され、ステップＳ３３でこれらの入力されたデータ及びフラグの状態をメモリ１８に記憶する。この時入力するデータは、妊娠中毒症の判定に関係する拡張期及び収縮期の血圧値、２４時間尿でエンバッハ法またはこれに準ずる測定法で調べた蛋白尿のデータ、妊婦の浮腫が全身に及んでいるか一部のみか等である。なお、ステップＳ３２でデータ入力がなければそのままステップＳ３３に進む。
【００３４】
ステップＳ３３では、ステップＳ２０以降で入力されたデータをメモリ１８に記憶してステップＳ１７に進む。
【００３５】
マタニティの場合には、ステップＳ１７の処理は通常の場合と同じであるが、ステップＳ１８でのデータ演算において、通常の場合に比べて追加されるものは以下のとおりである。
【００３６】
図６に示すグラフ（メモリ１８にデータが記憶されている）より妊娠週数に対応した胎児体重、羊水重量、胎盤重量を読み出して、風袋量を減算した測定体重からさらにこれらを減算することで胎児部分重量を引いた体重を求め、この体重にもとづいて測定時点での体脂肪率、体脂肪量、除脂肪量、体水分量、体水分量／体脂肪量（ＴＢＷ／ＦＡＴ）を演算する。
【００３７】
さらに、ステップＳ１７で測定した現在の体重からステップＳ２４で入力した非妊時の体重を減算し、非妊時から測定時までの体重増加量を演算する。また、非妊時から測定時までの体脂肪量の増加量及び体水分量の増加量は、ステップＳ１７で測定した体重及びインピーダンス等のデータを用いて生体電気インピーダンス法に基づいてステップＳ１８で演算した現在の体脂肪量及び体水分量から、ステップＳ２６及びステップＳ２９で入力した非妊時の体脂肪量及び体水分量を減算して求める。しかし、妊婦は一般的に非妊時の体重、体脂肪量、体水分量等のデータを記憶している人は少なく、記憶していても体重程度である。
【００３８】
これに対し、本発明者は、非妊時から測定時までの体重増加量に対し、非妊時から測定時までの体脂肪変化量及び体水分変化量が、夫々約５８％、約２９％であることを発見した。
【００３９】
たとえば、非妊時の体重が５０ｋｇで、測定時の体重が５５ｋｇのとき体重増加量は５ｋｇとなる。この５ｋｇに５８％、２９％を掛けると、それぞれ２．９ｋｇ、１．４５ｋｇとなり、非妊時から測定時までの体脂肪変化量と体水分変化量が求められる。すなわち、この値を測定時の体脂肪量、体水分量から減算すると、非妊時の体脂肪量、体水分量が求められることとなる。
【００４０】
この比率は妊娠６週から１６週まで変化なく、さらにつわり等で体重が変化しても比率の変化がないことを発見した。それゆえ、妊娠６週から１６週の間で少なくとも１回測定した時には、ステップＳ２８及び／またはステップＳ３１で設定されたフラグが１か否かを判断し、フラグに１が立っていればこのステップＳ１８で非妊時から現在までの体重増加量にこの比率をかけ、非妊時から測定時までの体脂肪変化量及び／または体水分変化量を演算するとともに、現在の体脂肪量及び体水分量から体脂肪変化量と体水分変化量を減算し、非妊時の体脂肪量と体水分量を演算する。
【００４１】
この体脂肪量と体水分量の演算は、妊娠６週から１６週までの間で少なくとも１回測定し、求めた非妊時の体脂肪量と体水分量をメモリ１８に記憶しておけば、妊娠中期や末期であっても、非妊時から測定時までの体脂肪変化量、体水分変化量のデータを演算できる。
【００４２】
そしてその結果はメモリ１８に記憶しておくとともに、ステップＳ１９で表示部８に表示し、印刷部９でプリントアウトする。妊娠２４週と５日に測定したプリントアウトの例は、図７で示すように図５の例に対して妊娠週数、胎児部分重量を引く前の補正前体重（風袋量は減算してある）と引いた後の補正後体重の印字、胎児体重、羊水重量、胎盤重量、胎児部分重量を引く前の体重（風袋量は減算してある）と身長とから求める補正前ＢＭＩ、非妊時体重、非妊時体脂肪量、非妊時体水分量、妊娠前から測定時までの体重増加量、体脂肪変化量、体水分変化量、現在の健康状態に対するコメント（後述）が追加されている。ここでの補正前ＢＭＩを演算し、表示または印刷するのは、この補正前ＢＭＩの値により胎児の成長状況を判断する産婦人科医へのデータ提供のためである。
【００４３】
なお、同様にデータ提供のために図７で示すプリントアウト例、または表示器８の表示に追加する形で、非妊時のＢＭＩを印刷または表示してもよい。
【００４４】
この表示・印刷のステップＳ１９が終了すると、ステップＳ４に戻り次のデータ入力を待つ。
【００４５】
上記健康状態に対するコメントは、図８に示すように主として非妊時からの体脂肪変化量と体水分変化量のグラフで判断される。この判断に使用するグラフのデータは、予めメモリ１８に記憶してあり、ステップＳ１８で現在の体脂肪増量と体水分変化量を演算した時に現在の位置をグラフより判断し、「脂肪と水分のバランスが崩れかけている可能性があります。太りすぎに注意しましょう。」、「体重増加、体脂肪増加が妊娠中期に起こると妊娠後期に浮腫が強く出たり、血圧が上昇して中毒症になりやすくなります。」、「体水分が増えすぎです。足や手がむくんではいませんか？摂取カロリーは計算していますか？辛いものを食べ過ぎたり水をがぶ飲みしたりしていませんか？」、「脂肪と水分のバランスがよくありません。中毒症の可能性もありますので検診での結果に注意してください。」等のコメントを予め記憶してあるメモリ１８より呼び出して表示、印刷をする。
【００４６】
この図８は、非妊時または妊娠の直後を原点（変化量０の所）にして、非妊時または妊娠の直後から測定時の体脂肪量と体水分量がどれだけ変化したかをプロットし、その位置により浮腫や中毒症の発症状態を判定することになる。この図８のグラフは非妊時のＢＭＩが１８未満、１８〜２４、２４以上のように体格別で正常範囲、中毒症、浮腫の範囲が変わるので、体格別にメモリ１８に記憶しておくとともに、妊娠週数毎でもこれら範囲が変わることよりメモリ１８に記憶しておく。たとえば体格を３区分にし、妊娠週数を３区分（妊娠前期０〜１５週、中期１６〜２７週、後期２８週以降）にすると、メモリ１８には９種類のグラフを記憶する。図８は、ＢＭＩが１８〜２４で、妊娠中期（１６〜２７週）の判定範囲を示すものである。この判定範囲の理解のため、参考に他の体格の正常範囲も破線で示す。
【００４７】
さらに、図８のグラフに原点（非妊時のデータ）から妊娠週数の推移により測定時点の状態をプロットし、プロット点の位置とプロット点がどの方向に推移してきているかを制御器１５で解析ソフトウエアを用いて判断し、健康状態のコメントを表示、印刷してもよい。この時健康状態の判断の精度を高めるため、測定回数は多いほうがよい。図８ではＢＭＩが１８〜２４で、妊娠２０週の人が測定したとき、体脂肪変化量は２．５ｋｇ、体水分変化量が３．０ｋｇで正常範囲からは外れているが、先々週（１８週）の時には正常範囲にあったことが判明するものの、先々週から測定日までの推移方向が軽症範囲に向かっているので、軽症の妊娠浮腫・妊娠中毒症の発症する可能性を予想されるので、その旨のコメントを図４のステップＳ１９で表示または印刷する。
【００４８】
さらに、上記実施例では、体水分量や体脂肪量の演算に胎児部分の重量を除いた補正体重を持って演算したが、これに限らず測定した体重そのもので演算しても演算結果は同様の傾向を示すことが判明しているので、補正前体重をもって演算しても良い。
【図面の簡単な説明】
【００４９】
【図１】本発明の実施例の外観斜視図である。
【図２】本発明の実施例の表示印刷部を示す図である。
【図３】電気ブロック図である。
【図４】本発明の実施例のフローチャートである。
【図５】マタニティ以外の印刷の例を示す図である。
【図６】妊娠週数と胎児部分重量との関係を示す図である。
【図７】マタニティの印刷の例を示す図である。
【図８】体脂肪変化量と体水分変化量の関係を示す図である。
【符号の説明】
【００５０】
１  体脂肪計
２  測定部
３  表示印刷部
５Ａ、５Ｂ、６Ａ、６Ｂ  電極
７  操作部
８  表示部
９  印刷部
１２  日時設定キー
１３  性別・体型設定キー
１４  テンキー
【図１】
0004791716.tif 000002
【図２】
0004791716.tif 000003
【図３】
0004791716.tif 000004
【図４】
0004791716.tif 000005
【図５】
0004791716.tif 000006
【図６】
0004791716.tif 000007
【図７】
0004791716.tif 000008
【図８】
0004791716.tif 000009